(57)【要約】      （修正有）【課題】低減された力で雄型ノズルの挿入を可能にする連結部の雌型ノズルを提供する。【解決手段】挿入の主軸を規定し、雄型ノズルを受け入れるように適合された連結端部２ａを有する管状主要本体２と、連結端部２ａ側で主要本体２に挿入される１つの保持リング３を備え、さらに、底部、第１の側壁、および第２の側壁を有する１つの内部環状凹部であって、底部および第１の壁は、主要本体の内部ショルダによって画定され、第２の側壁は、保持リング３の円形セクションによって画定され、挿入の主軸に対して垂直である横断方向平面内に含まれない、内部環状凹部と、内部環状凹部内に位置決めされたシーリングガスケット４とを備える。第１の側壁および第２の側壁は、内部環状凹部の底部に向かって配向され、内部環状凹部は、シーリングガスケット４をクランプし、保持するように構成される台形セクションを有する。【選択図】図１
0003223008.tif 000002
【実用新案登録請求の範囲】
【請求項１】
連結部の雌型ノズル（１）であって、
挿入の主軸を規定する管状主要本体（２）であって、雄型ノズルを受け入れるように適合された１つの連結端部（２ａ）を有する管状主要本体と、
前記連結端部（２ａ）側で前記主要本体（２）内に挿入される１つの保持リング（３）であって、円形セクションを有する、保持リングと、
底部（６ａ）、第１の側壁（６ｂ）、および第２の側壁（６ｃ）を有する１つの内部環状凹部（６）であって、前記底部（６ａ）および前記第１の壁（６ｂ）は、前記主要本体（２）の内部ショルダ（２ｆ）によって画定され、前記第２の壁（６ｃ）は、前記保持リング（３）の前記円形セクションによって画定され、前記環状凹部（６）は、挿入の前記主軸に対して垂直である横断方向平面内に含まれない、内部環状凹部と、
前記環状凹部（６）内に位置決めされたシーリングガスケット（４）と
を備え、
前記第１の側壁（６ｂ）および第２の側壁（６ｃ）が、前記環状凹部（６）の前記底部（６ａ）に向かって配向され、それにより、前記環状凹部は、前記シーリングガスケット（４）をクランプし、保持するように構成されるような台形セクションを有することを特徴とする雌型ノズル。
【請求項２】
前記環状凹部の底部（６ａ）は、前記ガスケット（４）の１つのセクションの直径より大きい寸法を有する請求項１に記載の雌型ノズル（１）。
【請求項３】
前記保持リング（３）は、前記主要本体（２）上に設けられた１つの凹部（２ｂ）内に受け入れられるように構成されるような少なくとも１つの極性ピン（３ａ）を担持する請求項１または２に記載の雌型ノズル（１）。
【請求項４】
前記保持リング（３）は、前記保持リング（３）を前記主要本体（２）内にクランプされた状態に保つように前記主要本体（２）の１つの開口部（２ｃ）内に設けられた少なくとも１つの切欠部（３ｂ）を備える請求項１乃至３のいずれか一項に記載の雌型ノズル（１）。
【請求項５】
互いに対向して位置決めされた前記保持リング（３）および前記主要本体（２）の凹部（３ｃ、２ｄ）内にジャンパとして係合されるクリップ（５）を備える請求項１乃至４のいずれか一項に記載の雌型ノズル（１）。
【請求項６】
前記保持リング（３）は、第２のセグメントの外径より大きい外径を有する第１のセグメントを含み、それにより、前記主要本体（２）の支承ショルダ（２ｅ）に押しつけて位置決めされた前記保持リング（３）の前記第１のセグメントの周囲セクションは、露出される請求項１乃至５のいずれか一項に記載の雌型ノズル（１）。
【考案の詳細な説明】
【技術分野】
【０００１】
本考案は、たとえば流体輸送管のための連結部の雌型ノズルに関する。
【背景技術】
【０００２】
特許文献１は、雌型ノズルおよび雄型ノズルからなる管状連結部として知られている。雄型ノズルは、雌型ノズルの連結端部に同軸に挿入されるように意図されている。雌型ノズルは、これを形成する主要本体の内側の環状凹部内に配置されたＯリングを含む。このガスケットは、これが２つの流体輸送管間に連結されたとき、連結部のシール作用を確実にする。凹部は、雌型ノズルの内部ショルダと、雌型ノズルの主要本体に同軸に挿入された保持リングの円形セクションによって形成される。環状凹部およびＯリングは、雄型ノズルの挿入の方向に対して垂直に、横断方向平面内に完全に含まれる。
【０００３】
雄型ノズルが雌型ノズルに挿入されたとき、雄型ノズルの貫通端部は、Ｏリングとその周囲全体において同時接触する。雄型ノズルに対して、ガスケットを押しつぶし、これがその連結位置まで進むことを可能にするために、このときかけられなければならない軸方向挿入力は大きく、この連結部の使用を厄介にする。
【０００４】
特許文献２は、この問題に対する解決策を提供しようとするものである。この文献では、Ｏリングが位置決めされる環状凹部は、横断方向平面内に、すなわち雄型ノズルの挿入方向に対して垂直に配置されない。この場合、雄型ノズルの貫通端部は、ガスケットとその周囲の一部のみにおいて接触する。次いで、雄型ノズルが雌型ノズルを通って進むにつれて、ガスケットは、その周囲の一部のみにわたって徐々に押しつぶされる。これにより、延長された挿入長さにわたって、ガスケットを押しつぶすために必要な最大挿入力が、その印加を広げることによって低減される。
【０００５】
この文献において提案する解決策では、雌型ノズル内の凹部は、底部と、保持リングの円形セクションによって形成された第１の側壁と、管状本体の内部ショルダによって形成された第２の側壁とを有する。側壁は互いに面し、凹部は、本質的に平行四辺形の形状のセクションを有する。２つの側壁間の本質的に一定の距離は、Ｏリングの直径より大きく、それによりこれは凹部内に自由に嵌合することができる。
【０００６】
雄型ノズルが雌型ノズル内に挿入されたとき、これは、ガスケットの一部と接触し、これを凹部の底部において押しつぶす前に、中空本体の内部ショルダによって形成された側壁にこれを押し当てる傾向がある。ガスケットを凹部に押し戻したとき、これはねじれる傾向があり、それによってこれを押しつぶすのをより難しくする。雄型ノズルにかけられた挿入力は、依然として大きいままである。
【先行技術文献】
【特許文献】
【０００７】
【特許文献１】仏国特許第２８８３６０７号明細書
【特許文献２】米国特許出願公開第２００８０２１７９１２号明細書
【考案の概要】
【課題を解決するための手段】
【０００８】
本考案は、前記欠点のすべてまたは一部を克服することを目的とする。これは、より具体的には、低減された力を用いて雄型ノズルの挿入を可能にする連結部の雌型ノズルを提供することを目的とする。
【０００９】
この目標を達成するために、本考案の目的は、連結部の雌型ノズルであって、
挿入の主軸を規定する管状主要本体であって、雄型ノズルを受け入れるように適合された１つの連結端部を有する管状主要本体と、
連結端部側で主要本体内に挿入される１つの保持リングであって、円形セクションを有する、保持リングと、
底部、第１の側壁、および第２の側壁を有する１つの内部環状凹部であって、底部および第１の壁は、主要本体の内部ショルダによって画定され、第２の壁は、保持リングの円形セクションによって画定され、環状凹部は、挿入の主軸に対して垂直である横断方向平面内に含まれない、内部環状凹部と、
環状凹部内に位置決めされたシーリングガスケットと
を備える、連結部の雌型ノズルを提案する。
【００１０】
雌型連結部の第１の側壁および第２の側壁は、環状凹部の底部に向かって配向され、それにより、環状凹部は、シーリングガスケットをクランプし、保持するように構成されるような台形セクションを有する。
【００１１】
したがってガスケットを環状凹部内に捕捉することにより、雄型ノズルを挿入したときの凹部の底部におけるその移動およびそのねじれは、防止される。この挿入力は、したがって、適度なものであり、ガスケットのねじれによって影響されない。加えて、凹部の台形形状は、これに十分な容積を与えて、ガスケット材料を、これが雄型ノズルによって押しつぶされたときに収容できるようにする。
【００１２】
別個にまたは任意の技術的に実行可能な組み合わせにおいて得られる、本考案の他の利点および非限定的な特徴によれば、
−環状凹部の底部は、ガスケットのセグメントの直径より大きい寸法を有し、
−保持リングは、主要本体上に設けられた１つの凹部内に収容されるように構成されるような少なくとも１つの極性ピン（polarizing pin）を有し、
−保持リングは、リングを主要本体内にクランプされた状態に保つように主要本体の１つの開口部内に設けられた少なくとも１つの切欠部を備え、
−雌型ノズルは、互いに対向して位置決めされた保持リングおよび主要本体の凹部内にジャンパとして係合されたクリップを備え、
−保持リングは、第２のセグメントの外径より大きい外径を有する第１のセグメントを含み、それにより、主要本体の支承ショルダ（bearing shoulder）に押しつけて位置決めされた保持リングの第１のセグメントの周囲セクションは、露出される。
【図面の簡単な説明】
【００１３】
本考案の他の特徴および利点は、付属の図を参照しながら後続の本考案の詳細な説明から明らかになるであろう。
【図１】本考案による雌型ノズルの分解図である。
【図２】機能構成における本考案による雌型ノズルの断面図である。
【図３】横断方向基準面における環状凹部の中心と雌型ノズルとの間の距離における変動の３６０°展開の特定の例を示す図である。
【考案を実施するための形態】
【００１４】
雌型ノズル１は、ここでは図１において傾斜して示す管状主要本体２からなる。主要本体２は、この図では示さない雄型ノズルの端部を受け入れるための連結端部２ａを有する。管状主要本体２は、雄型ノズルを挿入するための主軸を規定する。
【００１５】
雌型ノズル１は保持リング３も含み、その外径は、主要本体２の連結端部２ａの内径に合わせて調整され、それにより、これはその中に収容され得る。極性ピン３ａは、本体２上に設けられた凹部２ｂ内に摺動することによって、リング３を所与の角度配向で本体２に挿入することを可能にする。リング３の外側周囲上に形成された２つの切欠部３ｂが設けられて、本体２の連結端部２ａ上に設けられた開口部２ｃ内に嵌合し、リング３を主要本体２内にクリップ留めされた状態に保つ。
【００１６】
雌型ノズル１は、リング３によって本体２内に保持されるＯリング４も含む。
【００１７】
リング３が雌型ノズル１の機能構成において本体２に挿入されたとき、リング３上に互いに正反対に配置された２つの凹部３ｃはそれぞれ、本体２上に設けられた２つの他の凹部２ｄに対応するように配置される。金属製とすることができるジャンパクリップ５が、保持リング３を本体２にしっかりと保持するために、凹部３ｃ、２ｄに挿入され得る。
【００１８】
しかし、本考案は、これまで説明した、リング３を本体２に固定するための装置に限定されるものでは決してなく、リング３を本体２上に保持するための任意の他の手段が、提示されたものの代わりとして、またはこれに加えて考えられてもよい。
【００１９】
図２は、ガスケット４が、横断方向平面、すなわち雄型ノズルの主要挿入軸に対して垂直な平面内に含まれない、雌型ノズル１の内部環状凹部６内に位置することを示す。このようにして、また現況技術の提示に関連して、雄型ノズルの貫通端部は、Ｏリング４とその周囲の一部分のみにわたって接触する。この部分は、雄型連結部が進むにつれて増大する傾向がある。その結果、ガスケット４は徐々に押しつぶされ、こうして、ガスケットが横断方向平面内に完全に配置される場合と比べて、必要とされる最大挿入力を低減する。
【００２０】
図示する例では、環状凹部６は、「波状」の形状を有し、すなわち凹部６の中心と横断方向基準面との間の距離は、径方向の向きを有して正弦波で変動する。図３は、したがって、この距離変動ｄの３６０°展開の特定の例を実線で表わす。環状凹部６の中心から基準面までの距離をそのような径方向の向きによってこうして調節することにより、ガスケット４は横断方向平面内に位置しないことが確実にされる。当然ながら、本考案は、図３に示す特定の「波状」の形状に限定されず、ガスケット４を歪めてこれを横断方向平面外に置く任意の他の形状が適切となり得る。これは、たとえば、図３の点線で示す形状とすることもできる。
【００２１】
図１および２に示す例では、保持リング３は、第１の直線セグメント、すなわち一定の長さを有するものと、径方向の向きを有して、たとえば図３に実線で示す展開された形状にしたがって長さが変動する第２のセグメント３ｄとからなる。第１のセクションは、第２のセクション３ｄの外径より大きい外径を有する。この直径の相違により、主要本体２の支承ショルダ２ｅに押しつけて置かれ得る保持リング３の第１のセクションの周囲縁が露出される。これにより、リング３を本体２内に位置決めし、金属クリップ５を挿入することがより容易になる。
【００２２】
図２の挿入図に明確に見ることができるように、内部環状凹部６は、底部６ａと、凹部の底部６ａに面する２つの側壁６ｂ、６ｃとによって画定される。本体２は、凹部６の底部６ａおよび第１の側壁６ｂを画定するショルダ２ｆを有する。保持リング３の円形セクション、より正確にはこのリングの第２のセグメントの円形セクションは、凹部の第２の側壁６ｃを画定する。
【００２３】
保持リング３のそのセクションおよびショルダ２ｆは、横断方向平面内に位置せず、この平面に向かって傾けられて凹部の底部６ａと面する。したがって、環状凹部６は、台形セクションを有し、このとき台形の大きなベースは凹部６の底部６ａである。台形の小さいベースは、リング３の円形セクションと本体２のショルダ２ｆとの間の最小距離によって画定される。
【００２４】
本考案によれば、この小さいベースは、Ｏリング４のセクションの、これが自由であるときの、すなわちこれが押しつぶされることによって変形されないときの直径より小さく、または等しくなるように選択される。このようにして、ガスケット４は、保持リング３のセクションと本体２のショルダ２ｆとの間にクランプされ、保持される。したがって、これは、もはや押し戻される恐れはない。ガスケット４を環状凹部６内にこうして捕捉することにより、その移動およびねじれは、雄型ノズルを挿入するときに防止される。この特徴により、雄型ノズルの挿入力は抑えられた（measured）ままであることが確実にされる。
【００２５】
ガスケット４の押しつぶしを容易にし、雄型ノズルの最少挿入力に寄与するために、大きい凹部ベース６（底部６ａ）のサイズは、有利には、これがＯリング６のセクションの自由直径より大きくなるように選択される。これにより、環状凹部６内に空間が作り出されて、ガスケット４が作製される材料を、雄型ノズルが進みながらこれを押しつぶし、変形させたときに収容することを可能にする。
【００２６】
当然ながら、本考案は、説明する実施形態に限定されず、代替の解決策が、実用新案登録請求の範囲において定める本考案の範囲から逸脱することなく使用され得る。
【図１】
0003223008.tif 000003
【図２】
0003223008.tif 000004
【図３】
0003223008.tif 000005
【手続補正書】
【提出日】令和1年7月10日(2019.7.10)
【手続補正１】
【補正対象書類名】実用新案登録請求の範囲
【補正対象項目名】全文
【補正方法】変更
【補正の内容】
【実用新案登録請求の範囲】
【請求項１】
連結部の雌型ノズル（１）であって、
挿入の主軸を規定する管状主要本体（２）であって、雄型ノズルを受け入れるように適合された１つの連結端部（２ａ）を有する管状主要本体と、
前記連結端部（２ａ）側で前記管状主要本体（２）内に挿入される１つの保持リング（３）であって、円形セクションを有する、保持リングと、
底部（６ａ）、第１の側壁（６ｂ）、および第２の側壁（６ｃ）を有する１つの内部環状凹部（６）であって、前記底部（６ａ）および前記第１の側壁（６ｂ）は、前記管状主要本体（２）の内部ショルダ（２ｆ）によって画定され、前記第２の側壁（６ｃ）は、前記保持リング（３）の前記円形セクションによって画定され、前記内部環状凹部（６）は、挿入の前記主軸に対して垂直である横断方向平面内に含まれない、内部環状凹部と、
前記内部環状凹部（６）内に位置決めされたシーリングガスケット（４）と
を備え、
前記第１の側壁（６ｂ）および第２の側壁（６ｃ）が、前記内部環状凹部（６）の前記底部（６ａ）に向かって配向され、それにより、前記内部環状凹部は、前記シーリングガスケット（４）をクランプし、保持するように構成されるような台形セクションを有することを特徴とする雌型ノズル。
【請求項２】
前記内部環状凹部の底部（６ａ）は、前記シーリングガスケット（４）の１つのセクションの直径より大きい寸法を有する請求項１に記載の雌型ノズル（１）。
【請求項３】
前記保持リング（３）は、前記管状主要本体（２）上に設けられた１つの凹部（２ｂ）内に受け入れられるように構成されるような少なくとも１つの極性ピン（３ａ）を担持する請求項１または２に記載の雌型ノズル（１）。
【請求項４】
前記保持リング（３）は、前記保持リング（３）を前記管状主要本体（２）内にクランプされた状態に保つように前記管状主要本体（２）の１つの開口部（２ｃ）内に設けられた少なくとも１つの切欠部（３ｂ）を備える請求項１乃至３のいずれか一項に記載の雌型ノズル（１）。
【請求項５】
互いに対向して位置決めされた前記保持リング（３）および前記管状主要本体（２）の凹部（３ｃ、２ｄ）内にジャンパとして係合されるクリップ（５）を備える請求項１乃至４のいずれか一項に記載の雌型ノズル（１）。
【請求項６】
前記保持リング（３）は、第２のセグメントの外径より大きい外径を有する第１のセグメントを含み、それにより、前記管状主要本体（２）の支承ショルダ（２ｅ）に押しつけて位置決めされた前記保持リング（３）の前記第１のセグメントの周囲セクションは、露出される請求項１乃至５のいずれか一項に記載の雌型ノズル（１）。
【手続補正２】
【補正対象書類名】明細書
【補正対象項目名】０００９
【補正方法】変更
【補正の内容】
【０００９】
この目標を達成するために、本考案の目的は、連結部の雌型ノズルであって、
挿入の主軸を規定する管状主要本体であって、雄型ノズルを受け入れるように適合された１つの連結端部を有する管状主要本体と、
連結端部側で管状主要本体内に挿入される１つの保持リングであって、円形セクションを有する、保持リングと、
底部、第１の側壁、および第２の側壁を有する１つの内部環状凹部であって、底部および第１の側壁は、管状主要本体の内部ショルダによって画定され、第２の側壁は、保持リングの円形セクションによって画定され、内部環状凹部は、挿入の主軸に対して垂直である横断方向平面内に含まれない、内部環状凹部と、
内部環状凹部内に位置決めされたシーリングガスケットと
を備える、連結部の雌型ノズルを提案する。
【手続補正３】
【補正対象書類名】明細書
【補正対象項目名】００１０
【補正方法】変更
【補正の内容】
【００１０】
雌型連結部の第１の側壁および第２の側壁は、内部環状凹部の底部に向かって配向され、それにより、内部環状凹部は、シーリングガスケットをクランプし、保持するように構成されるような台形セクションを有する。
【手続補正４】
【補正対象書類名】明細書
【補正対象項目名】００１１
【補正方法】変更
【補正の内容】
【００１１】
したがってシーリングガスケットを内部環状凹部内に捕捉することにより、雄型ノズルを挿入したときの凹部の底部におけるその移動およびそのねじれは、防止される。この挿入力は、したがって、適度なものであり、シーリングガスケットのねじれによって影響されない。加えて、凹部の台形形状は、これに十分な容積を与えて、ガスケット材料を、これが雄型ノズルによって押しつぶされたときに収容できるようにする。
【手続補正５】
【補正対象書類名】明細書
【補正対象項目名】００１２
【補正方法】変更
【補正の内容】
【００１２】
別個にまたは任意の技術的に実行可能な組み合わせにおいて得られる、本考案の他の利点および非限定的な特徴によれば、
−内部環状凹部の底部は、シーリングガスケットのセグメントの直径より大きい寸法を有し、
−保持リングは、管状主要本体上に設けられた１つの凹部内に収容されるように構成されるような少なくとも１つの極性ピン（polarizing pin）を有し、
−保持リングは、リングを管状主要本体内にクランプされた状態に保つように管状主要本体の１つの開口部内に設けられた少なくとも１つの切欠部を備え、
−雌型ノズルは、互いに対向して位置決めされた保持リングおよび管状主要本体の凹部内にジャンパとして係合されたクリップを備え、
−保持リングは、第２のセグメントの外径より大きい外径を有する第１のセグメントを含み、それにより、管状主要本体の支承ショルダ（bearing shoulder）に押しつけて位置決めされた保持リングの第１のセグメントの周囲セクションは、露出される。